(57)【特許請求の範囲】
【請求項１】
表示部に表示する画面表示デザインを示す複数の画面テンプレートを記憶部に登録するテンプレート登録部と、
ＷＥＢサーバが開設するＷＥＢサイトにアップロードされた撮像データを前記画面テンプレートにおいて編集可能なデータ形式に変換して、前記画面テンプレートに設定するコンテンツの素材データの内の一つとして記憶部に登録する素材データ登録部と、
前記画面テンプレートにおける前記コンテンツの素材データの設定対象となる対象要素に応じた設定項目を有するコンテンツ登録画面を生成し、当該コンテンツ登録画面の前記設定項目に入力された前記コンテンツの素材データを前記画面テンプレートに対して設定したコンテンツデータを作成するコンテンツ作成部と、
を備えることを特徴とするコンテンツ作成装置。
【請求項２】
前記コンテンツ作成部は、前記撮像データが対象要素である場合、所望の前記コンテンツの素材データに至るファイルパスを選択可能にする前記設定項目を有する前記コンテンツ登録画面を生成する、
ことを特徴とする請求項１記載のコンテンツ作成装置。
【請求項３】
コンピュータを、
表示部に表示する画面表示デザインを示す複数の画面テンプレートを記憶部に登録するテンプレート登録部と、
ＷＥＢサーバが開設するＷＥＢサイトにアップロードされた撮像データを前記画面テンプレートにおいて編集可能なデータ形式に変換して、前記画面テンプレートに設定するコンテンツの素材データの内の一つとして記憶部に登録する素材データ登録部と、
前記画面テンプレートにおける前記コンテンツの素材データの設定対象となる対象要素に応じた設定項目を有するコンテンツ登録画面を生成し、当該コンテンツ登録画面の前記設定項目に入力された前記コンテンツの素材データを前記画面テンプレートに対して設定したコンテンツデータを作成するコンテンツ作成部と、
として機能させることを特徴とするプログラム。
【請求項４】
前記コンテンツ作成部は、前記撮像データが対象要素である場合、所望の前記コンテンツの素材データに至るファイルパスを選択可能にする前記設定項目を有する前記コンテンツ登録画面を生成する、
ことを特徴とする請求項３記載のプログラム。
【発明の詳細な説明】
【技術分野】
【０００１】
本発明の実施形態は、コンテンツ作成装置およびプログラムに関する。
【背景技術】
【０００２】
広告、イベント、お知らせ等のコンテンツを不特定者に提示する仕組みとして、表示装置等のサイネージ端末にデジタル化されたコンテンツを表示再生させるシステム、いわゆるデジタルサイネージシステムが知られている。
【発明の概要】
【発明が解決しようとする課題】
【０００３】
ところで、デジタルサイネージシステムでは、予め用意したコンテンツを指定したスケジュールやユーザ操作に従ってサイネージ端末におけるコンテンツの表示再生を行っている。
【０００４】
しかしながら、従来技術においては、コンテンツは通常は本部や店舗が予め用意することになっており、そのメンテナンスには労力およびコストがかかることが多い。
【課題を解決するための手段】
【０００５】
実施形態のコンテンツ作成装置は、テンプレート登録部と、素材データ登録部と、コンテンツ作成部と、を備える。前記テンプレート登録部は、表示部に表示する画面表示デザインを示す画面テンプレートを記憶部に登録する。前記素材データ登録部は、前記テンプレート登録部と、前記画面テンプレートに設定するコンテンツの素材データを記憶部に登録する。前記コンテンツ作成部は、前記画面テンプレートにおける前記コンテンツの素材データの設定対象となる対象要素に応じた設定項目を有するコンテンツ登録画面を生成し、当該コンテンツ登録画面の前記設定項目に入力された前記コンテンツの素材データを前記画面テンプレートに対して設定したコンテンツデータを作成する。また、前記素材データ登録部は、ＷＥＢサーバが開設するＷＥＢサイトにアップロードされた撮像データを前記コンテンツの素材データとして登録する。
【図面の簡単な説明】
【０００６】
【図１】図１は、実施形態にかかるサイネージシステムの概略構成を示すブロック図である。
【図２】図２は、サイネージ端末装置の外観正面図である。
【図３】図３は、サイネージ端末装置の概略構成を示すブロック図である。
【図４】図４は、情報配信サーバの概略構成を示すブロック図である。
【図５】図５は、テンプレートデータベースに蓄積されるデータの構成を示す図である。
【図６】図６は、コンテンツデータベースに蓄積されるデータの構成を示す図である。
【図７】図７は、情報配信サーバの機能構成を示すブロック図である。
【図８】図８は、コンテンツ作成処理の流れを示すフローチャートである。
【図９】図９は、コンテンツ作成にかかる画面遷移例を示す図である。
【図１０】図１０は、コンテンツ登録画面の一例を示す正面図である。
【図１１】図１１は、データ設定中のコンテンツ登録画面の一例を示す正面図である。
【発明を実施するための形態】
【０００７】
図１は、実施形態にかかるサイネージシステム１０の概略構成を示すブロック図である。以下の説明では、実施形態にかかるサイネージシステム１０がショッピングモールに設けられた場合について説明する。
【０００８】
本実施形態にかかるサイネージシステム１０は、コンテンツ作成装置である情報配信サーバ１１と、複数のサイネージ端末装置１４とを主体に構成されている。また、サイネージシステム１０は、ＷＥＢサーバ１５と、撮像データサーバ１６と、を備えている。
【０００９】
情報配信サーバ１１は、構内ＬＡＮ（Local  Area  Network）等の通信ネットワーク１２を介してサイネージ端末装置１４に接続されており、商品の広告情報やイベントの情報などの情報のコンテンツをサイネージ端末装置１４に対して配信、またはコンテンツをサイネージ端末装置１４からのアクセスによって取得させる。
【００１０】
サイネージ端末装置１４は、通信ネットワーク１２を介して情報配信サーバ１１から配信または取得したコンテンツデータを再生して表示する。
【００１１】
ＷＥＢサーバ１５は、ＷＥＢサイトをインターネット１７上に開設する。ＷＥＢサイトは、コンテストの懸賞などをインセンティブとし、デジタルカメラ１８やスマートフォン１９などによって撮影した料理の写真や動画である撮像データ（画像データや動画像データなど）を、著作権放棄を条件にアップロードさせるサイトである。
【００１２】
より詳細には、利用者がスマートフォン１９などからインターネット１７に接続し、ＷＥＢサーバ１５が開設するＷＥＢサイトにアクセスする。次に、利用者はスマートフォン１９などによって撮影した料理の写真や動画である撮像データ（画像データや動画像データなど）を、ＷＥＢサーバ１５を介して撮像データサーバ１６に登録する。撮像データを撮像データサーバ１６にアップロードする方法としては、ＦＴＰ（File  Transfer  Protocol）を用いる方法などが挙げられる。
【００１３】
撮像データサーバ１６は、ＷＥＢサーバ１５が開設するＷＥＢサイトにアップロードされた撮像データ（画像データや動画像データなど）を素材データとして蓄積する。また、撮像データサーバ１６は、蓄積した撮像データ（画像データや動画像データなど）について、サイネージ端末装置１４で利用するための加工・設定処理を行い、情報配信サーバ１１に配信する。サイネージ端末装置１４で利用するための加工・設定処理は、例えばサイネージ端末装置１４での出力条件に満たないデータは削除する処理である。
【００１４】
図２は、サイネージ端末装置１４の外観正面図である。図２に示すように、サイネージ端末装置１４は、液晶ディスプレイあるいはプラズマディスプレイとして構成されたディスプレイユニット２１と、各種チケット，クーポン等を印刷して発行するプリンタユニット２２と、ディスプレイユニット２１、プリンタユニット２２を保持する筐体部２４と、を備えている。
【００１５】
筐体部２４の上部には、人物を撮影して画像認識を行い、人物の年齢層を特定し、配信する情報の種類を制御する等の用途に用いられるカメラユニット２５が内蔵されている。また、筐体部２４の下部には、ＢＧＭや広告音声等の各種音響出力を行うスピーカユニット２６が内蔵されている。なお、画像認識等の処理は、サイネージ端末装置１４で行うことなく、情報配信サーバ１１等の上流側サーバで行っても良い。
【００１６】
図３は、サイネージ端末装置１４の概略構成を示すブロック図である。図３に示すように、サイネージ端末装置１４は、上述したディスプレイユニット２１、プリンタユニット２２、カメラユニット２５、およびスピーカユニット２６の他、当該サイネージ端末装置１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、各種データを記憶する外部記憶装置３５と、を備えている。
【００１７】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツを再生して、再生したコンテンツをディスプレイユニット２１に表示する。また、操作部３２は、各種スイッチ、ボタン等で構成したり、タッチパネルとしてディスプレイユニット２１と一体に構成したりしても良い。
【００１８】
図４は、情報配信サーバ１１の概略構成を示すブロック図である。図４に示すように、情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末装置１４との間で通信を行うためのネットワーク通信インタフェース（ＩＦ）４３と、各種データを記憶する外部記憶装置４４と、液晶ディスプレイとして構成されたディスプレイユニット４５と、を備えている。
【００１９】
ここで、コントローラ４１は、当該コントローラ４１全体を制御するＭＰＵ４６と、ＭＰＵ４６が動作するための制御プログラム等を格納したＲＯＭ４７と、各種データを一時的に記憶するＲＡＭ４８と、を備えている。
【００２０】
外部記憶装置４４は、素材データベースＤＢ１と、テンプレートデータベースＤＢ２と、コンテンツデータベースＤＢ３を格納している。テンプレートデータベースＤＢ２は、商品の販売促進に係わるイベントである優待企画の内容などに特化したデジタルサイネージのコンテンツを編集するのに必要な画面テンプレートを蓄積する。コンテンツデータベースＤＢ３は、後述するコンテンツ作成処理により作成されたコンテンツデータを蓄積する。
【００２１】
なお、本実施形態では、情報配信サーバ１１が有する外部記憶装置４４に素材データベースＤＢ１、テンプレートデータベースＤＢ２、コンテンツデータベースＤＢ３が格納されているが、これに限定するものではなく、例えば、情報配信サーバ１１と通信ネットワーク１２を介して接続された記憶装置（図示せず）に素材データベースＤＢ１、テンプレートデータベースＤＢ２、コンテンツデータベースＤＢ３が記憶されていても良い。
【００２２】
素材データベースＤＢ１は、各種の外部装置から提供されるコンテンツの素材データを蓄積する。外部装置としては、例えば撮像データサーバ１６が挙げられる。すなわち、撮像データサーバ１６から出力された撮像データも、素材データベースＤＢ１に蓄積されてコンテンツの素材データとなる。
【００２３】
図５は、テンプレートデータベースＤＢ２に蓄積されるデータの構成を示す図である。図５に示すように、テンプレートデータベースＤＢ２には、レコード番号順に、企画ＩＤと企画名とテンプレートデータとが記述されたテンプレートデータレコードが蓄積されている。企画ＩＤは、対応する企画名で特定される優待企画を識別するための情報である。
【００２４】
すなわち図５に示す例では、レコード番号［１］のレコードに、キャンペーン企画の企画ＩＤ及び企画名と画面テンプレートＡとが記述され、レコード番号［２］のレコードに、フロア企画の企画ＩＤ及び企画名と画面テンプレートＢとが記述され、レコード番号［３］のレコードに、カタログ企画の企画ＩＤ及び企画名と画面テンプレートＣとが記述されている。
【００２５】
図６は、コンテンツデータベースＤＢ３に蓄積されるデータの構成を示す図である。図６に示すように、コンテンツデータベースＤＢ３には、コンテンツを識別する識別情報としてコンテンツＩＤと、当該コンテンツＩＤにより識別されるコンテンツのコンテンツ名と、当該コンテンツＩＤにより識別されるコンテンツデータと、が蓄積されている。
【００２６】
ところで、素材データベースＤＢ１に蓄積される素材データやテンプレートデータベースＤＢ２に蓄積される画面テンプレートを用いることによりサイネージ端末装置１４に表示させるためのコンテンツデータを作成することは、ＩＴスキルのないユーザにとっては大変な作業であり、このような作業の軽減化を図る必要がある。
【００２７】
次に、上述したような問題を解決するために、本実施形態にかかるコンテンツ作成装置である情報配信サーバ１１が有する特徴的な機能について説明する。図７は、情報配信サーバ１１の機能構成を示すブロック図である。コントローラ４１は、ＲＯＭ４７に記憶された制御プログラムに従ってＭＰＵ４６を動作させることで、図７に示すように、テンプレート登録部４６１、素材データ登録部４６２、コンテンツ作成部４６３として機能する。
【００２８】
テンプレート登録部４６１は、画面テンプレートをテンプレートデータベースＤＢ２に登録する。画面テンプレートは、サイネージ端末装置１４のディスプレイユニット２１に表示する画面表示デザインを示すものであって、画面テンプレートの仕様（デザイン）に基づいて素材データベースＤＢ１に蓄積されている素材データを設定する。ここで、仕様とは、サイネージ端末装置１４のディスプレイユニット２１に対するコンテンツデータの表示の際に、所定の領域に正しく素材データが設定されるようにするものである。例えば、ＸＡＭＬ（アプリケーションソフトのユーザーインターフェースを記述するための言語仕様）を利用した場合、コンテンツの素材データを設定する要素名は共通の要素基底名とインデックス（例えば、基底名Itemとすると、Item01,Item02,・・・）で記載する。
【００２９】
素材データ登録部４６２は、画面テンプレートに設定するコンテンツの素材データを素材データベースＤＢ１に登録する。本実施形態の素材データ登録部４６２は、画像データとしてＷＥＢサーバ１５が開設するＷＥＢサイトにアップロードされ、撮像データサーバ１６に蓄積された撮像データ（画像データや動画像データなど）をコンテンツの素材データとして登録可能となっている。また、素材データ登録部４６２は、撮像データサーバ１６から出力された撮像データについて、テンプレートデータベースＤＢ２に蓄積された画面テンプレートにおいて編集可能なデータ形式に変換する。
【００３０】
コンテンツ作成部４６３は、後述するコンテンツ登録画面１０４（図１０参照）を通じ、画面テンプレートに対して表示するコンテンツの素材データ（例えば、ＷＥＢサーバ１５が開設するＷＥＢサイトにアップロードされた画像データや動画像データなど）を設定して、コンテンツデータを作成する。
【００３１】
具体的には、上述したように撮像データサーバ１６から出力された撮像データ（例えば、ＷＥＢサーバ１５が開設するＷＥＢサイトにアップロードされた画像データや動画像データなど）も素材データベースＤＢ１に蓄積されており、レコード番号の指定によって選択された画面テンプレート（例えば、図５に示す画面テンプレートＡ）の仕様（デザイン）に対して素材データベースＤＢ１に蓄積されている素材データが設定され、コンテンツデータとして作成される。
【００３２】
次に、コンテンツ作成部４６３によるコンテンツ作成処理について詳細に説明する。ここで、図８は情報配信サーバ１１のコンテンツ作成部４６３によるコンテンツ作成処理の流れを示すフローチャート、図９はコンテンツ作成にかかる画面遷移例を示す図である。
【００３３】
コンテンツ作成部４６３は、例えばＸＡＭＬデータをコンテンツとして新規に設定する場合には、まず、図９（ａ）のシナリオ管理画面１０１を表示する。シナリオ管理画面１０１は、サイネージ端末装置１４のディスプレイユニット２１に表示するコンテンツデータおよびその表示順番などのシナリオ（プレイリスト）を管理する画面である。そして、ユーザが操作部４２を操作してシナリオ管理画面１０１上のＸＡＭＬを選択するボタンＢ１を操作したと判断すると、コンテンツ作成部４６３は、図９（ｂ）のＸＡＭＬコンテンツ登録画面１０２に遷移する。
【００３４】
次に、コンテンツ作成部４６３は、図９（ｂ）のＸＡＭＬコンテンツ登録画面１０２を表示する。そして、ユーザが操作部４２を操作してＸＡＭＬコンテンツ登録画面１０２上の新規設定を選択するボタンＢ２を操作したと判断すると、コンテンツ作成部４６３は、図９（ｃ）のテンプレート選択画面１０３に遷移する。図９（ｃ）のテンプレート選択画面１０３には、テンプレートデータベースＤＢ２に登録されている画面テンプレートＸ１〜Ｘ４が一覧表示される。
【００３５】
このようなテンプレート選択画面１０３が表示された状態で、コンテンツ作成部４６３は、図８に示すように、テンプレート選択画面１０３で一の画面テンプレートの選択に待機する（ステップＳ１）。
【００３６】
コンテンツ作成部４６３は、ユーザが操作部４２を操作してテンプレート選択画面１０３で一の画面テンプレートを選択してＯＫボタンＢ３を操作したと判断すると、画面テンプレートの選択があったと判断して（ステップＳ１のＹｅｓ）、図１０に示すコンテンツ登録画面１０４に遷移する（ステップＳ２）。
【００３７】
図１０に示すコンテンツ登録画面１０４は、ＸＡＭＬを利用した画面テンプレートの対象要素名から設定項目を表示する。この際、要素名が何を意味するかによって、設定項目内容を変更する。図１０に示すコンテンツ登録画面１０４の場合、画像（静止画像、動画像）が対象要素である場合とテキストが対象要素である場合とで設定項目内容が変化している。画像（静止画像、動画像）が対象要素である設定項目１０４１においては、参照ボタンＢ５の操作によって素材データベースＤＢ１の所望の画像ファイル（コンテンツの素材データ）Ｘに至るファイルパスが選択可能になっている。
【００３８】
また、テキストが対象要素である設定項目１０４２においては、表示したい文字列（コンテンツの素材データ）をそのまま入力するようにする。具体的には、設定項目１０４２は、情報内容Ｚの入力エリアである「情報内容１」〜「情報内容５」と、情報内容の種別を表す情報名Ｙの入力エリアである「情報名１」〜「情報名５」とを有している。情報内容Ｚと情報名Ｙとは、テンプレート対をなしている。なお、デザインに影響することを考え、テキストの設定項目１０４２の情報名Ｙおよび情報内容Ｚについては文字数制限を画面テンプレートとして予め登録しておき、その内容を入力の検証や制限として設定する。
【００３９】
また、コンテンツ登録画面１０４には、プレビュー画面１０４３が設けられている。コンテンツ登録画面１０４の設定項目１０４１，１０４２にデータを設定し、プレビューボタンＢ６が操作されると、コンテンツ登録画面１０４に設けられたプレビュー画面１０４３にその内容が反映され、どのような表示になるのかを確認することができる。
【００４０】
図１１は、データ設定中のコンテンツ登録画面１０４の一例を示す正面図である。図１１に示す例によれば、素材データベースＤＢ１の所望の画像ファイル（コンテンツの素材データ）ＸとしてＷＥＢサイトにアップロードされた撮像データ（りんご.ｊｐｇ）が選択されている。また、図１１に示す例によれば、「情報名１」には情報名Ｙとして文字列「特売情報」が入力されており、「情報内容１」には情報内容Ｚとして文字列「本日の特売品です。」が入力されている。図１１に示すように、コンテンツ登録画面１０４の設定項目にデータを設定すると、プレビューボタンＢ６の操作によって、コンテンツ登録画面１０４に設けられたプレビュー画面１０４３にその内容（画像ファイルＸ、情報名Ｙ、情報内容Ｚ）が反映される。なお、入力がない設定項目は、表示されない。
【００４１】
コンテンツ作成部４６３は、ユーザが操作部４２を操作してコンテンツ登録画面１０４の設定項目にデータを設定して確定ボタンＢ４を操作すると、データ設定が確定したと判断して（ステップＳ３のＹｅｓ）、画面テンプレートに対して表示するデータを設定したコンテンツデータを作成して（ステップＳ４）、コンテンツデータベースＤＢ３に登録する（ステップＳ５）。
【００４２】
デジタルサイネージ再生装置であるサイネージ端末装置１４は、上述のようにして生成されたコンテンツデータを情報配信サーバ１１から自ら取得、または情報配信サーバ１１から配信を受け取る。サイネージ端末装置１４は、コンテンツデータ（すなわち、コンテンツに設定された画面テンプレートおよび設定されたパスに基づく素材データ）を受け取ると、画面テンプレートをディスプレイユニット２１の表示領域に合わせ相対的に変更する。その後、画面テンプレートに対して設定されたコンテンツの素材データを対象の要素名に設定して、コンテンツとしてディスプレイユニット２１に表示する。なお、対象要素にデータ設定がない場合には、非表示に設定し、これを隠ぺいする。
【００４３】
このように本実施形態のデジタルサイネージ管理装置である情報配信サーバ１１によれば、ＷＥＢサーバが開設するＷＥＢサイトにアップロードされた撮像データ（画像データや動画像データなど）を画面テンプレートに挿入するコンテンツの素材データとして登録するようにしたことで、コンテンツデータ作成作業の労力、コストの軽減化を図ることができる。
【００４４】
なお、本実施形態においては、コンテンツ作成装置である情報配信サーバ１１をサイネージシステム１０に適用するようにしたが、これに限るものではない。例えば、オーダー可能なメニューを画像付で一覧表示するオーダー端末を含むオーダーシステムなどの業務システムにおいて、オーダー端末に表示するメニュー画像を情報配信サーバ１１にて加工、設定を行い、配信するようにしても良い。
【００４５】
本実施形態の情報配信サーバ１１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４６】
また、本実施形態の情報配信サーバ１１で実行されるプログラムを、インターネット等のネットワークに接続されたコンピュータ上に格納し、ネットワーク経由でダウンロードさせることにより提供するように構成しても良い。また、本実施形態の情報配信サーバ１１で実行されるプログラムをインターネット等のネットワーク経由で提供または配布するように構成しても良い。
【００４７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４８】
１１      コンテンツ作成装置
１０４    コンテンツ登録画面
４６１    テンプレート登録部
４６２    素材データ登録部
４６３    コンテンツ作成部
【先行技術文献】
【特許文献】
【００４９】
【特許文献１】特開２０１０−０７９７７０号公報
【図１】
0005512750.tif 000002
【図２】
0005512750.tif 000003
【図３】
0005512750.tif 000004
【図４】
0005512750.tif 000005
【図５】
0005512750.tif 000006
【図６】
0005512750.tif 000007
【図７】
0005512750.tif 000008
【図８】
0005512750.tif 000009
【図９】
0005512750.tif 000010
【図１０】
0005512750.tif 000011
【図１１】
0005512750.tif 000012